(57)【要約】  【課題】  子機側のキーの増加なしに通話速度の切り替えができ、小型化、費用削減が可能な電話機の子機を提供することである。  【解決手段】  話速変換機能を有する親機１２と無線通信することにより子機１３側で通話速度の切り替えができ、子機１３の通話キー２３に、通話時のみ機能する通話速度切り替え機能を兼用させ、子機１３の外線使用時に通話キーが長押しされるとキー操作を有効と判別して通話速度を切り替える構成とする。【選択図】      図１
2005223422.tif 000002
【特許請求の範囲】
【請求項１】
話速変換機能を有する親機と無線通信することにより子機側で通話速度の切り替えができる電話機の子機において、
通話中は通話速度切り替え機能の操作を行う為のキーとして、通話中以外は通話中の機能とは無関係な機能の操作を行う為のキーとして機能するキーを備えることを特徴とする電話機の子機。
【請求項２】
前記通話速度切り替え機能を兼用させたキーが所定時間以上押下されると、キー操作を有効と判別することを特徴とする請求項１記載の電話機の子機。
【請求項３】
前記通話速度切り替え機能を兼用させたキーは、通話キーであることを特徴とする請求項１又は２記載の電話機の子機。
【発明の詳細な説明】
【技術分野】
【０００１】
本発明は、話速変換機能を有する親機と無線通信することにより子機側で通話速度の切り替えができる電話機の子機に関するものである。
【背景技術】
【０００２】
近年、電話機に様々な機能が付加されてきている。その一つに話速変換機能があり、音声をゆっくりとした聞き取りやすい速度にリアルタイムで変換する機能である。これは高齢者に有用な機能である。高齢者の聴覚劣化の特徴は、周波数特性が劣化するだけでなく、時間特性も劣化し、早口の音声が聞き取りにくくなることが挙げられる。電話による通話では上記の問題が顕著に表われ、相手の声が早口で内容が聞き取りにくいと感じる高齢者が多い。
【０００３】
例えば、特許文献１には、話速変換処理回路を音声信号の回路に設け、この話速変換処理回路を用いて音声信号の少なくとも遅聞きまたは遅送りすることができるような手段を備えることにより、受話音声信号を伸長して再生し、ゆっくりした音声に変換する話速変換電話機が開示されている。
【０００４】
更に特許文献１には、話速変換アダプタを電話機に取り付けることにより、通常の電話機に話速変換機能を付加する形態も開示されている。
【特許文献１】特開平６−３１１２１１号公報
【発明の開示】
【発明が解決しようとする課題】
【０００５】
しかしながら、親機と子機とからなる電話機に上記の特許文献１の構成を応用すると、話速変換機能をもたない子機には上記話速変換アダプタを取り付ける必要がある。
【０００６】
また、無線により子機側で親機の機能を利用する形態では、子機に話速変換キーを別途設ける必要がある。
【０００７】
本発明は、子機側のキーの増加なしに通話速度の切り替えができ、小型化、費用削減が可能な電話機の子機を提供することを目的とする。
【課題を解決するための手段】
【０００８】
上記目的を達成するために本発明の電話機の子機は、話速変換機能を有する親機と無線通信することにより子機側で通話速度の切り替えができる電話機の子機において、通話中は通話速度切り替え機能の操作を行う為のキーとして、通話中以外は通話中の機能とは無関係な機能の操作を行う為のキーとして機能するキーを備えることを特徴とするものである。
【０００９】
上記の子機において、前記通話速度切り替え機能を兼用させたキーが所定時間以上押下されると、キー操作を有効と判別するようにしてもよい。
【００１０】
また上記の子機において、前記通話速度切り替え機能を兼用させたキーは、通話キーとすることができる。
【発明の効果】
【００１１】
本発明によれば、通話時には機能しないキーに、通話時のみ機能する通話速度切り替え機能を兼用させることにより、別途話速変換キーを設ける必要がなく、子機の小型化、費用削減が可能となる。
【発明を実施するための最良の形態】
【００１２】
図１は、電話機の親機と子機の要部構成を示すブロック図である。公衆電話網１１に接続された電話機の親機１２と、親機１２と無線通信可能な子機１３とから構成される。なお、子機は複数台増設することができる。
【００１３】
親機１２は、公衆電話網１１に接続され電話機能を制御する電話回線制御部１４と、アンテナを備え子機１３との無線通信を行う無線部１５と、各種キーからなる操作部１６と、液晶パネルからなる表示部１７と、通話路の切り替えを行うネットワーク１８と、話速変換処理を行うＤＳＰ（Digital Signal Processor）１９と、入出力音声間の時間差（入力音声に対する出力音声の遅延）分の音声信号を一時的に蓄積するフラッシュメモリ２０と、親機１２を制御する主制御部２１とを備えている。
【００１４】
また、子機１３は、アンテナを備え親機１２との無線通信を行う無線部２２と、通話キー２３等の各種キーからなる操作部２４と、液晶パネルからなる表示部２５と、子機１３を制御する主制御部２６とを備えている。なお、子機１３は親機１２を介して公衆電話網１１へ接続される。
【００１５】
このような電話機には、様々な機能が付加されている。例えば、電話帳を登録できる電話帳機能、親機１２又は子機１３に登録されている電話帳を他方の電話機に転送する電話帳転送機能、通話速度を変換して聞き取り易くする話速変換機能、表示部１７、２５に漢字を表示することができる漢字表示機能、子機１３側で留守番電話を再生したりセット／解除することができる子機リモート機能、ドアホンとして利用できるドアホン機能などが挙げられる。
【００１６】
これらの機能は通常、親機１２に備えられており、子機１３は親機１２との通信により、親機１２がもっている機能を利用することができる。従って子機１３側は機能を表示するメニュー画面と操作キーを備えていればよい。
【００１７】
ここで、子機１３で外線通話中に話速変換機能を利用する際の手順と電話機の動作について説明する。図２は、外線通話中の子機１３で話速変換機能を利用する際の動作を説明するシーケンス図である。
【００１８】
子機１３で通常速度で通話中に、通話キー２３が所定時間以上押下され続ける（長押しと称する）と、子機１３は親機１２に、通話速度を通常からゆっくりに切り替えるように話速切替要求を送信する。なお、所定時間は例えば１秒とすることで誤操作を防止できる。これに応答して親機１２はＡＣＫを返し、子機１３側にトーン等で報知して子機１３へ話速変換後のゆっくりした速度の音声を送信開始する。これにより、子機１３の受話器からゆっくりした速度の音声が放音される。
【００１９】
その後、再度通話キー２３が長押しされると、子機１３は親機１２に、通話速度をゆっくりから通常に切り替えるように話速切替要求を送信する。これに応答して親機１２はＡＣＫを返し、子機１３側にトーン等で報知して子機１３へ話速変換しない通常速度の音声を送信開始する。これにより、子機１３の受話器から通常速度の音声が放音される。
【００２０】
なお、上記実施形態では話速変換を指示するキーとして通話キー２３を兼用させているが、通話時には機能しないキーであれば特に限定はなく、例えば機能キーに兼用させてもよい。また、キーの長押しによりキー操作を有効と判別することにより、誤操作を防止できる。
【００２１】
このように、子機１３側で話速変換を指示するキーを通話キー２３等に兼用させることにより、別途話速変換キーを設ける必要がなく、子機１３の小型化、費用削減が可能となる。
【産業上の利用可能性】
【００２２】
本発明は、電話機や電話機とファクシミリ装置との複合機などの親機に増設される子機に利用することができる。
【図面の簡単な説明】
【００２３】
【図１】電話機の親機と子機の要部構成を示すブロック図である。
【図２】外線通話中の子機で話速変換機能を利用する際の動作を説明するシーケンス図である。
【符号の説明】
【００２４】
１１    公衆電話網
１２    親機
１３    子機
１４    電話回線制御部
１５、２２    無線部
１６、２４    操作部
１７、２５    表示部
１８    ネットワーク
１９    ＤＳＰ
２０    フラッシュメモリ
２１、２６    主制御部
２３    通話キー
【図１】
2005223422.tif 000003
【図２】
2005223422.tif 000004